(57)【特許請求の範囲】
【請求項１】
隣接する複数の面に開口を有する陳列室に陳列棚を備えたショーケースにおいて、
前記陳列棚は、前記一面に設けられ、この一面に隣接する他面に延在した延在部を有する第１の棚と、前記他面に設けられ、前記延在部に一端部が載置される第２の棚とを備えることを特徴とするショーケース。
【請求項２】
隣接する複数の面に開口を有する陳列室に陳列棚を備えたショーケースにおいて、
前記陳列棚は、一面に設けられ、この一面に隣接する他面に延在した延在部を有する長手方向部材と、前記一面に設けられ、奥行方向に延在した第１の棚支持具と、前記一面の側端部に設けられ、奥行方向に延在した第２の棚支持具とを有する第１の棚と、
前記他面に設けられ、前記長手方向部材の延在部に一端部が載置される第２の棚とを備えることを特徴とするショーケース。
【請求項３】
前記延在部には、前記第２の棚の移動を規制する規制部を設けたことを特徴とする請求項１又は請求項２のショーケース。
【請求項４】
前面、後面及びこの前後面に隣接する側面に開口を有する陳列室に陳列棚を備えたショーケースにおいて、
前記陳列棚は、前記前面に設けられ、側面に延在した第１の延在部を有する前面棚と、前記後面に設けられ、側面に延在した第２の延在部を有する後面棚と、前記側面に設けられ、前記第１の延在部と前記第２の延在部に載置される側面棚とを備えることを特徴とするショーケース。
【請求項５】
前面、後面及びこの前後面に隣接する側面に開口を有する陳列室に陳列棚を備えたショーケースにおいて、
前記陳列棚は、前記前面に設けられ、前記側面に延在した延在部を有する第１の長手方向部材と、前記前面に設けられ、奥行方向に延在した第１の棚支持具と、前記前面の側端部に設けられ、奥行方向に延在した第２の棚支持具とを有する前面棚と、
前記後面に設けられ、前記側面に延在した延在部を有する第２の長手方向部材と、前記後面に設けられ、奥行方向に延在した第３の棚支持具と、前記後面の側端部に設けられ、奥行方向に延在した第４の棚支持具とを有する後面棚と、
前記側面に設けられ、前記第１の長手方向部材及び第２の長手方向部材の延在部に載置される側面棚とを備えることを特徴とするショーケース。
【請求項６】
前記延在部には、前記側面棚の移動を規制する規制部を設けたことを特徴とする請求項４又は請求項５のショーケース。
【発明の詳細な説明】
【０００１】
【発明の属する技術分野】
本発明は、陳列室に棚を備えたショーケースに関する。
【０００２】
【従来の技術】
従来この種ショーケースは、特願平１１−１８６０２２号に示す如く、複数面が開口する陳列室に棚を備えたショーケースにおいて、前記棚を支持し、奥行方向に延在する棚支持具と、この棚支持具の先端を折曲してなる折曲部と、この折曲部と重合し、棚に設けられた重合部と、この重合部及び前記折曲部を固定する固定具とを備えたことを特徴とするショーケースが知られている。
【０００３】
【発明が解決しようとする課題】
上記従来技術の棚の設置作業、特に高さの変更は、通常、ショーケースを設置した店舗の従業員により行われる。従って、棚の設置の変更作業が行いやすい様に、奥行方向に延在する棚支持具の先端に折曲部を設け、棚の重合部と折曲部を重合させ、前方から奥行方向に固定具を貫通させて固定するようにすることにより、棚の取り付け作業性の向上を図った。
【０００４】
しかしながら、棚の高さ変更を行う際は、棚の固定具を外して再度前方から取り付けて棚を固定しなければならず、めったに棚の設置作業を行わない従業員にとっては、取り付け作業がしづらいという問題があった。
【０００５】
本発明は上述した問題点に鑑みてなされたもので、更に棚の取り付け作業性を向上させたショーケースを提供する。
【０００６】
【課題を解決するための手段】
上記目的を達成するための手段として、本発明の請求項１のショーケースは、隣接する複数の面に開口を有する陳列室に陳列棚を備えたものであって、前記陳列棚は、前記一面に設けられ、この一面に隣接する他面に延在した延在部を有する第１の棚と、前記他面に設けられ、前記延在部に一端部が載置される第２の棚とを備えるものである。
【０００７】
請求項１の発明によれば、陳列棚は、一面に設けられ、この一面に隣接する他面に延在した延在部を有する第１の棚と、前記他面に設けられ、前記延在部に一端部が載置される第２の棚とを備えるものであるので、第１の棚から他面に延在した延在部に第２の棚を載置することにより、陳列棚を容易に設置することができる。
【０００８】
請求項２の発明のショーケースは、隣接する複数の面に開口を有する陳列室に陳列棚を備えたものであって、前記陳列棚は、一面に設けられ、この一面に隣接する他面に延在した延在部を有する長手方向部材と、前記一面に設けられ、奥行方向に延在した第１の棚支持具と、前記一面の側端部に設けられ、奥行方向に延在した第２の棚支持具とを有する第１の棚と、前記他面に設けられ、前記長手方向部材の延在部に一端部が載置される第２の棚とを備えるものである。
【０００９】
請求項２の発明によれば、陳列棚は、一面に設けられ、この一面に隣接する他面に延在した延在部を有する長手方向部材と、前記一面に設けられ、奥行方向に延在した第１の棚支持具と、前記一面の側端部に設けられ、奥行方向に延在した第２の棚支持具とを有する第１の棚と、前記他面に設けられ、前記長手方向部材の延在部に一端部が載置される第２の棚とを備えるものであるので、第１の棚から他面に延在した延在部に第２の棚を載置することにより、陳列棚を容易に設置することができる。
【００１０】
請求項３の発明のショーケースは、請求項１又は請求項２において、前記延在部には、前記第２の棚の移動を規制する規制部を設けたものである。
【００１１】
請求項３の発明によれば、請求項１又は請求項２に加えて、延在部には、前記第２の棚の移動を規制する規制部を設けたので、第２の棚の落下を防止することができる。
【００１２】
請求項４の発明のショーケースは、前面、後面及びこの前後面に隣接する側面に開口を有する陳列室に陳列棚を備えたものであって、前記陳列棚は、前記前面に設けられ、側面に延在した第１の延在部を有する前面棚と、前記後面に設けられ、側面に延在した第２の延在部を有する後面棚と、前記側面に設けられ、前記第１の延在部と前記第２の延在部に載置される側面棚とを備えるものである。
【００１３】
請求項４の発明によれば、陳列棚は、前記前面に設けられ、側面に延在した第１の延在部を有する前面棚と、前記後面に設けられ、側面に延在した第２の延在部を有する後面棚と、前記側面に設けられ、前記第１の延在部と前記第２の延在部に載置される側面棚とを備えるものであるので、前面棚から側面に延在した第１の延在部と後面棚から側面に延在した第２の延在部に側面棚を載置することにより、陳列棚を容易に設置することができる。
【００１４】
請求項５の発明のショーケースは、前面、後面及びこの前後面に隣接する側面に開口を有する陳列室に陳列棚を備えたものであって、前記陳列棚は、前記前面に設けられ、前記側面に延在した延在部を有する第１の長手方向部材と、前記前面に設けられ、奥行方向に延在した第１の棚支持具と、前記前面の側端部に設けられ、奥行方向に延在した第２の棚支持具とを有する前面棚と、前記後面に設けられ、前記側面に延在した延在部を有する第２の長手方向部材と、前記後面に設けられ、奥行方向に延在した第３の棚支持具と、前記後面の側端部に設けられ、奥行方向に延在した第４の棚支持具とを有する後面棚と、前記側面に設けられ、前記第１の長手方向部材及び第２の長手方向部材の延在部に載置される側面棚とを備えるものである。
【００１５】
請求項５の発明によれば、陳列棚は、前記前面に設けられ、前記側面に延在した延在部を有する第１の長手方向部材と、前記前面に設けられ、奥行方向に延在した第１の棚支持具と、前記前面の側端部に設けられ、奥行方向に延在した第２の棚支持具とを有する前面棚と、前記後面に設けられ、前記側面に延在した延在部を有する第２の長手方向部材と、前記後面に設けられ、奥行方向に延在した第３の棚支持具と、前記後面の側端部に設けられ、奥行方向に延在した第４の棚支持具とを有する後面棚と、前記側面に設けられ、前記第１の長手方向部材及び第２の長手方向部材の延在部に載置される側面棚とを備えるものであるので、前面棚の第１の長手方向部材から側面に延在した延在部及び後面棚の第２の長手方向部材から側面に延在した延在部に側面棚を載置することにより、陳列棚を容易に設置することができる。
【００１６】
請求項６の発明のショーケースは、請求項４又は請求項５において、前記延在部には、前記側面棚の移動を規制する規制部を設けたものである。
【００１７】
請求項６の発明によれば、請求項４又は請求項５に加えて、延在部には、前記側面棚の移動を規制する規制部を設けたので、側面棚の落下を防止することができる。
【００１８】
【発明の実施の形態】
以下、本発明の実施の形態を図面に基づいて説明する。
【００１９】
図１は本発明を具備するショーケースの斜視図、図２は図１のショーケースの側面図、図３は本発明の棚が設置された状態を示す要部斜視図、図４は棚を設置する際の斜視図、図５は側面の棚の斜視図、図６は前面及び後面の棚を示す斜視図、図７は側面棚を前面棚及び後面棚に載置する寸前を示す要部側面図、図８は側面棚を前面棚及び後面棚に載置した状態を示す要部側面図、図９は他の実施の形態としての棚を設置する際の斜視図である。尚、図において、棚としての平板ガラスを適宜省略して示す。
【００２０】
図１及び図２に示すショーケース１は、本発明を具備するもので、少なくとも隣接する二面乃至四面が開口しており、スーパーマーケットなどの店舗内において冷凍食品や生鮮食品を陳列販売するために使用される。ここで、説明上、図１における左手前を前面、右手前を右側面、右後方を後面、左後方を左側面と称す。また、前面、後面とは、それぞれ後述の立設部３の前方、後方を云い、側面とは、立設部３の側面より側方を云うものとする。
【００２１】
このショーケース１は、前後に略対称な外観を呈しており、図示しない冷却装置を備えるベース２と、このベース２の略中央部に設けられ、ダクトを備える立設部３と、この立設部３の上部に設けられ、冷気の吹出口を備える庇状の天板４と、左側面に設けられたガラス側板５とからなり、これらベース２、立設部３、天板４及びガラス側板５によって、三面に開口して商品を陳列する陳列室６を画成している。この陳列室６には、複数段の陳列棚７が架設されている。
【００２２】
以下、図３乃至図８を参照して、陳列棚７の実施形態を説明する。
【００２３】
陳列棚７は、前面棚８、後面棚９及び側面棚１０を備えるものである。
【００２４】
前面棚８の前端には、幅方向に長手方向部材（前棚フレーム１１）が設けられている。この前棚フレーム１１には、前端に立ち上がりフランジ１１Ａが形成されており、更に、この立ち上がりフランジ１１Ａから後方へ水平に延在した後、垂直に下方に延在し、次いで水平に延在した後、上方へ延在し、更に水平に延在した形状を呈している。また、この前棚フレーム１１は、ガラス側板５の内側からショーケース１の前面に設けられ、立設部３の右端部３Ａより更に側方へ延在して延在部１１Ｂが設けられており、陳列室６内の前面及び側面に渡って存している。
【００２５】
立設部３の前方には、立設部３の左端部３Ｂから立設部３の右端部３Ａまで、前棚フレーム１１と略平行に、前面棚８を補強するための前棚補強板１２が設けられている。立設部３の左端部３Ｂ及び右端部３Ａには、棚支持具としての左ブラケット１３と右ブラケット１４がそれぞれ設けられている。この左ブラケット１３と右ブラケット１４に、前棚フレーム１１と前棚補強板１２とがそれぞれ螺子止めされて固定されている。そして、左ブラケット１３、右ブラケット１４、前棚フレーム１１及び前棚補強板１２に図示しない略長方形の平板ガラスが載置され、更に、陳列商品の落下を防止するための前棚飾り１５が前棚フレーム１１の立ち上がりフランジ１１Ａに装着されて前面棚８が構成されている。この前棚飾り１５は、下方に開口した略コ字状断面のもので、塩化ビニル樹脂等を押し出し成型加工により成型されたものである。
【００２６】
前棚フレーム１１の延在部１１Ｂに設けられた立ち上がりフランジ１１Ａの後方は水平に折曲され、内側には凹部１１Ｃが形成されている。更に、この凹部１１Ｃより内側には載置部１１Ｄが形成されている。また、前面棚８の右ブラケット１４と載置部１１Ｄとの間には少許の隙間１６が設けられている。
【００２７】
左ブラケット１３と右ブラケット１４は、立設部３の左右両端部に設けられた支持孔３Ｃに係止されて支持される周知のものであり、前記立設部３に対して角度調整可能に取り付けられることにより、前面棚８は立設部３の右端３Ａより側方に延在部がはみ出して支持される。
【００２８】
更に、後面にも、上記前面棚８と前後対称に後面棚９が構成されている。すなわち図示しない左ブラケット、右ブラケット１７、後棚フレーム１８及び後棚補強板１９に図示しない略長方形の平板ガラスが載置され、更に、陳列商品の落下を防止するための後棚飾り２０が後棚フレーム１８の立ち上がりフランジ１８Ａに装着されて後面棚９が構成されている。尚、前面棚８と同様に、後面棚９は立設部３の右端部３Ａより側方に延在部１８Ｂがはみ出している。また、後棚フレーム１８の延在部１８Ｂに設けられた立ち上がりフランジ１８Ａの前方は水平に折曲され、内側には凹部１８Ｃが形成されている。更に、この凹部１８Ｃより内側には水平な載置部１８Ｄが形成されている。また、後面棚９の右ブラケット１７と載置部１８Ｄとの間には少許の隙間１６が設けられている。
【００２９】
次に、側面には、以下の如き側面棚１０が設けられる。尚、説明上、この側面棚１０についてのみ、図１における右手前を前方、左手前を左方向、右後方を右方向、左後方を後方として説明する。
【００３０】
図５に示す如く、側面棚１０の前端には、左右方向（ショーケース１の奥行方向）に側棚フレーム２１が設けられている。側棚フレーム２１の左端及び右端には、側棚左横フレーム２２及び側棚右横フレーム２３が前後方向に設けられている。この側棚左横フレーム２２及び側棚右横フレーム２３は、奥行が前記前面棚８及び後面棚９と略同等の奥行であり、これによって前面棚８、後面棚９及び側面棚１０とが共に略同等の奥行きとなっている。さらに、側棚左横フレーム２２の左端から側棚右横フレーム２３の右端まで、側棚フレーム２１と略平行に、側面棚１０を補強するための側棚補強板２４が設けられている。側棚フレーム２１及び側棚補強板２４の左右両端には、下方に折曲された第１の折曲部２１Ａ、２４Ａがそれぞれ形成されている。また、側棚左横フレーム２２及び側棚右横フレーム２３の後端には、下方に折曲された第２の折曲部２２Ａ、２３Ａがそれぞれ形成されている。
【００３１】
側棚フレーム２１の前端には、前面棚８及び後面棚９に用いたものと同一断面形状の側棚飾り２５が陳列商品の落下を防止するために装着されている。この側棚飾り２５は、コーナー部において曲率半径３０ｍｍ程度の所謂ヒータ曲げが施されており、更に側棚フレーム２１の左右両端部から側棚左横フレーム２２と側棚右横フレーム２３の後端に延在した延長部２５Ａをそれぞれ形成している。
【００３２】
そして、側棚左横フレーム２２、側棚右横フレーム２３、側棚フレーム２１及び側棚補強板２４に平板ガラス２６が載置されて側面棚１０が構成されている。
【００３３】
以上の構成の前面棚８、後面棚９及び側面棚１０とから、以下のような作業により、商品を載置するための陳列棚７を設置する。
【００３４】
先ず、前面棚８及び後面棚９の左右ブラケット１４を、図６に示す如く、立設部３に設けられた所定の支持孔３Ｃに係止して、前面棚８及び後面棚９を立設部３に取り付ける。そして、側面棚１０を前面棚８及び後面棚９の延在部１１Ｂ、１８Ｂに載置する。このとき、側面棚１０を前面棚８及び後面棚９の載置部１１Ｄ、１８Ｄに載置すると共に、前面棚８及び後面棚９の凹部１１Ｃ、１８Ｃに、それぞれ側面棚１０の第１の折曲部２１Ａ、２４Ａを当接させる。また、右ブラケット１４と凹部１１Ｃとの間に設けられている少許の隙間１６、１６には、側面棚１０の第２の折曲部２２Ａ、２３Ａをそれぞれ嵌合させる。次に、側棚飾り２５の延長部２５Ａ、２５Ａを前棚フレーム１１の延在部の立ち上がりフランジ１１Ａ及び後棚フレーム１８の延在部の立ち上がりフランジ１８Ａにそれぞれ嵌合させることにより、側棚飾り２５は固定される。これによって、側面棚１０の設置が終了する。
【００３５】
以上の如く、側面棚１０を前面棚８及び後面棚９の延在部１１Ｂ、１８Ｂに載置することによって陳列棚７の設置作業が終了するので、陳列棚７の取付け作業を容易に行うことができる。
【００３６】
しかも、前面棚８及び後面棚９の延在部１１Ｂ、１８Ｂに設けられた凹部１１Ｃ、１８Ｃと側面棚１０の第１の折曲部２１Ａ、２４Ａとがそれぞれ当接することにより、側面棚１０はショーケース１の奥行方向に移動しなくなると共に、右ブラケット１４と凹部１１Ｃとの間に設けられている少許の隙間１６、１６と側面棚１０の第２の折曲部２２Ａ、２３Ａとが嵌合することにより、側面棚１０はショーケース１の幅方向に移動しなくなる。すなわち、側面棚１０を前面棚８及び後面棚９の延在部１１Ｂ、１８Ｂに載置することにより、側面棚１０が前面棚８及び後面棚９に固定されて落下しなくなる。
【００３７】
尚、以上の実施の形態においては、前面棚８は、左ブラケット１３、右ブラケット１４、前棚フレーム１１及び前棚補強板１２に平板ガラスが載置され、前面飾り１５が装着されて、更に、立設部３から側方に延在部１１Ｂがはみ出して構成され、後面棚９もこれと対称に構成されている。しかしながら、以下の如く、実施の形態を変更することも可能である。すなわち、商品を載置するため平板ガラスを用いた前面棚８及び後面棚９に代えて、例えば、図９に示す如く、前棚フレームと前棚補強板とを一体にした棚板３０Ａを構成し、この棚板３０Ａをブラケット３２にて支持すると共に、この棚板３０Ａから側面に延在した延在部３０Ｂを設けて前面棚３０を構成する。同様に、後面棚３３を構成し、棚板３３Ａから側面に延在した延在部３３Ｂを設ける。そして、これらの延在部３０Ｂ、３３Ｂに側面棚１０を載置するように構成した場合も、陳列棚７の設置作業が容易に行えることはいうまでもない。
【００３８】
また、前面及び側面に陳列棚を設けたショーケースの場合には、前記実施の形態における後面棚９の延在部１８Ｂに代えて他の支持手段により、側面棚１０の他端を支持するようにしても良い。この場合、図示しないが、例えば、側面の立設部に支持孔を設け、この支持孔にブラケットを新たに係止させて、このブラケットによって側面棚を支持する。
【００３９】
また、この実施の形態のほか、前面棚の延在部を前後に複数設けることにより、この延在部に側面棚を支持するようにしても良い。
【００４０】
これらの場合も、前面棚の延在部とブラケット又は前面棚の複数の延在部により側面棚が支持されるので、陳列棚の取り付け作業性が向上する。
【００４１】
【発明の効果】
以上詳述した如く、請求項１の発明によれば、陳列棚は、一面に設けられ、この一面に隣接する他面に延在した延在部を有する第１の棚と、前記他面に設けられ、前記延在部に一端部が載置される第２の棚とを備えるものであるので、第１の棚から他面に延在した延在部に第２の棚を載置することにより、陳列棚を容易に設置することができる。
【００４２】
請求項２の発明によれば、陳列棚は、一面に設けられ、この一面に隣接する他面に延在した延在部を有する長手方向部材と、前記一面に設けられ、奥行方向に延在した第１の棚支持具と、前記一面の側端部に設けられ、奥行方向に延在した第２の棚支持具とを有する第１の棚と、前記他面に設けられ、前記長手方向部材の延在部に一端部が載置される第２の棚とを備えるものであるので、第１の棚から他面に延在した延在部に第２の棚を載置することにより、陳列棚を容易に設置することができる。
【００４３】
請求項３の発明によれば、請求項１又は請求項２に加えて、延在部には、前記第２の棚の移動を規制する規制部を設けたので、第２の棚の落下を防止することができる。
【００４４】
請求項４の発明によれば、陳列棚は、前記前面に設けられ、側面に延在した第１の延在部を有する前面棚と、前記後面に設けられ、側面に延在した第２の延在部を有する後面棚と、前記側面に設けられ、前記第１の延在部と前記第２の延在部に載置される側面棚とを備えるものであるので、前面棚から側面に延在した第１の延在部と後面棚から側面に延在した第２の延在部に側面棚を載置することにより、陳列棚を容易に設置することができる。
【００４５】
請求項５の発明によれば、陳列棚は、前記前面に設けられ、前記側面に延在した延在部を有する第１の長手方向部材と、前記前面に設けられ、奥行方向に延在した第１の棚支持具と、前記前面の側端部に設けられ、奥行方向に延在した第２の棚支持具とを有する前面棚と、前記後面に設けられ、前記側面に延在した延在部を有する第２の長手方向部材と、前記後面に設けられ、奥行方向に延在した第３の棚支持具と、前記後面の側端部に設けられ、奥行方向に延在した第４の棚支持具とを有する後面棚と、前記側面に設けられ、前記第１の長手方向部材及び第２の長手方向部材の延在部に載置される側面棚とを備えるものであるので、前面棚の第１の長手方向部材から側面に延在した延在部及び後面棚の第２の長手方向部材から側面に延在した延在部に側面棚を載置することにより、陳列棚を容易に設置することができる。
【００４６】
請求項６の発明によれば、請求項４又は請求項５に加えて、延在部には、前記側面棚の移動を規制する規制部を設けたので、側面棚の落下を防止することができる。
【図面の簡単な説明】
【図１】本発明を具備するショーケースの斜視図である。
【図２】図１のショーケースの側面図である。
【図３】本発明の棚が設置された状態を示す要部斜視図である。
【図４】棚を設置する際の斜視図である。
【図５】側面の棚の斜視図である。
【図６】前面及び後面の棚を示す斜視図である。
【図７】側面棚を前面棚及び後面棚に載置する寸前を示す要部側面図である。
【図８】側面棚を前面棚及び後面棚に載置した状態を示す要部側面図である。
【図９】他の実施の形態としての棚を設置する際の斜視図である。
【符号の説明】
１  ショーケース
３  立設部
７  陳列棚
８  前面棚
９  後面棚
１０  側面棚
１１  前棚フレーム
１１Ｂ  延在部
１１Ｃ  凹部
１１Ｄ  載置部
１３  左ブラケット
１４、１７  右ブラケット
１６  隙間
１８  後棚フレーム
１８Ｂ  延在部
１８Ｃ  凹部
１８Ｄ  載置部
２１  側棚フレーム
２１Ａ、２４Ａ  第１の折曲部
２２  側棚左横フレーム
２２Ａ、２３Ａ  第２の折曲部
２３  側棚右横フレーム
２５  側棚飾り
【図１】
0004073159.tif 000002
【図２】
0004073159.tif 000003
【図３】
0004073159.tif 000004
【図４】
0004073159.tif 000005
【図５】
0004073159.tif 000006
【図６】
0004073159.tif 000007
【図７】
0004073159.tif 000008
【図８】
0004073159.tif 000009
【図９】
0004073159.tif 000010